Podtech/llm-jp-corpus-v4-ja_patent huggingface dataset:
【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
分子量分布が約２〜約８のエチレンをベースにした重合体を含んで成ることを特徴とする繊維。
【請求項２】
該エチレンをベースにした重合体は直鎖であることを特徴とする請求項１記載の繊維。
【請求項３】
該エチレンをベースにした重合体はＺｉｅｇｌｅｒ−Ｎａｔｔａ触媒によりつくられることを特徴とする請求項１記載の繊維。
【請求項４】
該ポリエチレン樹脂はＺｉｅｇｌｅｒ−Ｎａｔｔａ触媒によってつくられ、該Ｚｉｅｇｌｅｒ−Ｎａｔｔａ触媒は、アルキルマグネシウム化合物をアルコールと接触させてマグネシウムジアルコキシド化合物をつくり；該マグネシウムジアルコキシド化合物を多数の第１の試薬と接触させて反応生成物「Ａ」をつくり；反応生成物「Ａ」を遷移金属およびハロゲンを含んで成る第２の試薬と接触させて反応生成物「Ｂ」をつくり；
反応生成物「Ｂ」を第１のハロゲン化金属を含んで成り且つ第２の試薬より強いハロゲン化剤である第３の試薬と接触させて反応生成物「Ｃ」をつくり；随時、該反応生成物「Ｃ」を第２のハロゲン化金属を含んで成り且つ第３の試薬より強いハロゲン化剤である第４の試薬と接触させて反応生成物「Ｄ」をつくり；反応生成物「Ｄ」を有機アルミニウム化合物を含んで成る第５の試薬と接触させてＺｉｅｇｌｅｒ−Ｎａｔｔａ触媒をつくる方法によりつくられることを特徴とする請求項１記載の繊維。
【請求項５】
エチレンをベースにした重合体は単峰的であることを特徴とする請求項１記載の繊維。
【請求項６】
エチレンをベースにした重合体は少なくとも約０．９４ｇ／ｃｃの密度を示すことを特徴とする請求項１記載の繊維。
【請求項７】
該繊維は柔らかな手触りをもった繊維であることを特徴とする請求項１記載の繊維。
【請求項８】
該繊維は細いデニールのモノフィラメントであり、Ｚｉｅｇｌｅｒ−Ｎａｔｔａ法でつくられたポリプロピレン単独重合体と同じ方法でつくられた繊維に比べγ線の放射による滅菌に対し大きな抵抗性を示すことを特徴とする請求項１記載の繊維。
【請求項９】
該繊維は延伸比３：１において約２．０ｇ／デニール〜約３．３ｇ／デニールの最大荷重における強力を示すことを特徴とする請求項１記載の繊維。
【請求項１０】
該繊維は延伸比３：１において約２５０％〜約２７５％の最大荷重における伸びを示すことを特徴とする請求項１記載の繊維。
【請求項１１】
分子量分布が約２〜約８のエチレンをベースにした重合体を用い；該エチレンをベースにした重合体を熔融状態に加熱し；このエチレンをベースにした重合体を押出して繊維にし；該繊維を所望の紡糸速度で紡糸することを特徴とする繊維の製造法。
【手続補正書】
【提出日】平成24年10月10日(2012.10.10)
【手続補正１】
【補正対象書類名】明細書
【補正対象項目名】０３５３
【補正方法】変更
【補正の内容】
【０３５３】
工程ｄ
ＤＭＦ（５．０ｍＬ）に溶解した塩（０．２７ｍｍｏｌ）の溶液にＤＩＰＥＡ（０．４７ｍＬ、２．７ｍｍｏｌ）を添加し、続いて、Ｎ，Ｎ−ジメチル−Ｄ−フェニルグリシン（５９ｍｇ、０．３３ｍｍｏｌ）およびＨＡＴＵ（１２５ｍｇ、０．３３ｍｍｏｌ）を添加した。室温で１時間撹拌した後、反応混合物をＨ２ＯとＤＣＭの間で分配させた。有機相を、結果として、Ｈ２Ｏおよびブラインで洗浄し、無水Ｎａ２ＳＯ４で乾燥させ、濾過し、濃縮した。残渣を分取ＨＰＬＣにより精製し、化合物１５を得た。LC-MS
(ESI): m/z 793.4 (M+H)+。
【化２１５】
2012510524.tif 000001
スキーム２−１−１は、ここに説明された化合物の代替的な合成経路を提供する。
【化２５２】
2012510524.tif 000002


スキーム２−１−１
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
以下の成分：
ａ）ポリアミド０〜９９質量部、並びに
ｂ）ポリエーテルエステルアミド、ポリエーテルアミド、及びこれらの混合物の群から選択されるポリアミドエラストマー１〜１００質量部
を少なくとも５０質量％含む成形材料を含有する成形部材（ここで質量部の合計は１００であり、前記成形材料は最大９質量％の可塑剤を含む）を、超臨界媒体との接触に用いる使用。
【請求項２】
前記成形材料が、可塑剤を最大７質量％含むことを特徴とする、請求項１に記載の使用。
【請求項３】
前記成形材料が、可塑剤を最大５質量％含むことを特徴とする、請求項１に記載の使用。
【請求項４】
前記成形材料が、可塑剤を含まないことを特徴とする、請求項１に記載の使用。
【請求項５】
前記成形部材が、超臨界媒体輸送のために使用されるチューブ又は管であり、かつ前記成形材料を、輸送される前記媒体と接触する内部熱可塑性樹脂層として有することを特徴とする、請求項１から４までのいずれか１項に記載の使用。
【請求項６】
前記チューブの外径が、３０〜８５０ｍｍであるか、若しくは前記管の外径が３０〜１１００ｍｍであることを特徴とする、請求項５に記載の使用。
【請求項７】
ポリエーテルエステルアミド中にコモノマーとして含まれるポリエーテルジオール、若しくはポリエーテルアミド中にコモノマーとして含まれるポリエーテルジアミンが、２００〜５０００ｇ／ｍｏｌの質量平均モル質量を有し、かつ、ポリエーテルエステルアミド若しくはポリエーテルアミド若しくはこれらの混合物の割合が、４〜６０質量％であることを特徴とする、請求項１から６までのいずれか１項に記載の使用。
【請求項８】
成形材料からの内部熱可塑性樹脂層が、以下の方法工程：
ａ）ポリアミド含有成形材料を準備する工程、
ｂ）成形材料と構成添加剤との混合物を製造する工程、
ｃ）混合物を場合により貯蔵及び／又は輸送する工程
ｄ）混合物を剪断下で溶融物で混合する工程（この段階で初めて縮合が起こる）、
ｅ）溶融混合物を押出成形し、硬化する工程、
によって製造されたことを特徴とする、請求項５から７までのいずれか１項に記載の使用。
【請求項９】
前記構成添加剤が、少なくとも２つのカーボネート単位を有する化合物であることを特徴とする、請求項８に記載の使用。
【請求項１０】
ポリアミドを配合前に抽出し、残りのモノマー、及びオリゴマーを除去することを特徴とする、請求項１から９までのいずれか１項に記載の使用。
【請求項１１】
超臨界媒体が、ＣＯ2、Ｈ2Ｓ、Ｎ2、ＣＨ4、エタン、プロパン、ブタン、天然ガス、並びにこれらの混合物の群から選択されていることを特徴とする、請求項１から１０までのいずれか１項に記載の使用。
【請求項１２】
超臨界媒体が、原油と混合されていることを特徴とする、請求項１から１１までのいずれか１項に記載の使用。
【請求項１３】
原油の三次輸送、又はＣＯ2の地下貯蔵における、請求項１から１２までのいずれか１項に記載の使用。
【手続補正２】
【補正対象書類名】明細書
【補正対象項目名】００１４
【補正方法】変更
【補正の内容】
【００１４】
ポリアミド及びポリアミドエラストマーの他に、成形材料はさらなる成分、例えば耐衝撃性改良剤、他の熱可塑性樹脂、及び他の通常の添加剤を有することができる。ポリアミドが成形材料のマトリックスを形成することのみが必要である。
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２９
【補正方法】変更
【補正の内容】
【００２９】
成形材料に含まれていてよい他の熱可塑性樹脂は、まずポリオレフィンである。これらは、一実施態様では、先に耐衝撃性改良剤について記載したように、酸無水物基を有し、かつその際場合により、官能化されていない耐衝撃性改良剤と一緒に存在してよい。更なる一実施態様では、これらは、官能化されておらず、かつ該成形材料中に、官能化された耐衝撃性改良剤又は官能化されたポリオレフィンと組み合わせて存在する。"官能化された"という言葉が意味するところは、従来技術のポリマーであって、ポリアミド末端基と反応できる基、例えば酸無水物基、カルボキシル基、エポキシ基又はオキサゾリン基を備えたポリマーである。
【手続補正７】
【補正対象書類名】明細書
【補正対象項目名】００３２
【補正方法】変更
【補正の内容】
【００３２】
好ましい実施態様では、成形材料は、可塑剤を含まない。しかし僅かな量の可塑剤は、許容され得る。可能な実施態様では、成形材料はこれに相応して、可塑剤を０．１〜９質量％、好適には０．１〜７質量％、特に好適には０．１〜５質量％、とりわけ好適には０．１〜４質量％、及び極めて特に好適には０．１〜３質量％含む。可塑剤が９質量％を越えると、鹸化や長さ収縮といった問題が、顕著な範囲で現れる。
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
（ａ）式
Ａｒ−ＣＨ2［−ＣＨ2ＣＨ（Ａｒ）］n−ＣＨ2ＣＨ2−Ａｒ
［式中、Ａｒは各々、分布物中の各分子について、フェニル基であり、「ｎ」は０から６の範囲の整数であり、かつ、ここで、
（ｉ）前記分子の少なくとも４６ＧＰＣ面積％は、０と等しい「ｎ」値を有し、
（ｉｉ）前記分子の１から２６ＧＰＣ面積％は、１と等しい「ｎ」値を有し、
また、
（ｉｉｉ）前記分子の０から１４ＧＰＣ面積％は、２と等しい「ｎ」値を有する。］の分子の分布物、
（ｂ）式
Ａｒ−ＣＨ2［−ＣＨ2ＣＨ（Ａｒ）］n−ＣＨ2ＣＨ2−Ａｒ；
［式中、Ａｒは各々、分布物中の各分子について、フェニル基であり、「ｎ」は０から６の範囲の整数であり、かつ、ここで、分布物中分子の「ｎ」値０を有する過半数および分布物中の分子の４９ＧＰＣ面積％未満の「ｎ」値１、２、３、４、５または６を有する少数がこの分布物を特徴づけ、ただし、１と等しい「ｎ」の前記ＧＰＣ面積％＞２と等しい「ｎ」の前記ＧＰＣ面積％＞３と等しい「ｎ」の前記ＧＰＣ面積％＞４と等しい「ｎ」の前記ＧＰＣ面積％＞５と等しい「ｎ」の前記ＧＰＣ面積％＞６と等しい「ｎ」の前記ＧＰＣ面積％。］の分子の分布物
（ｃ）式
Ａｒ−ＣＨ2［−ＣＨ2ＣＨ（Ａｒ）］n−ＣＨ2ＣＨ2−Ａｒ
［式中、Ａｒは各々フェニル基であり、分布物中の各分子については、「ｎ」は０から６の範囲の整数である。］の分子の非ポリマーおよび非オリゴマーの、「ｎ」値が１から６を有する分子を含む分布物
の１つまたは複数を特徴とするテロマー分布物を臭素化することを含む、臭素化難燃剤組成物を製造する方法。
【請求項２】
分子の前記分布物が、「ｎ」＝０を有する分子が４６から７６ＧＰＣ面積％；「ｎ」＝１を有する分子が１６から２６ＧＰＣ面積％；および「ｎ」＝２を有する分子が１から１４ＧＰＣ面積％の含有率を有することを特徴とする、請求項１に記載の方法。
【請求項３】
分子の前記分布物が、（ｉ）０と等しい「ｎ」値を有する分子の７６から９５ＧＰＣ面積％（ｉｉ）１と等しい「ｎ」値を有する分子の１７から５ＧＰＣ面積％、および（ｉｉｉ）２と等しい「ｎ」値を有する分子の５から０ＧＰＣ面積％の含有率を有することを特徴とする、請求項１に記載の方法。
【請求項４】
分子の前記分布物が、（ｉ）０と等しい「ｎ」値を有する前記分子の９５から９９ＧＰＣ面積％、および（ｉｉ）１と等しい「ｎ」値を有する前記分子の５から１ＧＰＣ面積％の含有率を有することを特徴とする、請求項１に記載の方法。
【請求項５】
テロマー分布物が、臭素化剤として臭素および触媒としてＡｌＢｒ3の合同または別々の供給（複数可）に近接してかつ同時に溶質として供給され、そのような供給が溶媒で予備装填した反応器になされ、かつそのような供給が、予備装填した溶媒に加え、粗反応物を少なくとも部分的に形成し、（ｉ）分子の分布物の供給によって得られる反応生成物およびその不純物、臭素化剤およびＡｌＢｒ3；（ｉｉ）溶媒；および（ｉｉｉ）ＡｌＢｒ3；および（ｉｖ）場合によって、未反応臭素化剤を含み、かつそのような供給が、反応物レベルの液面下になされ、かつ反応物が−２０℃から５℃の範囲内の温度を有する、請求項１−４のいずれかに記載の方法。
【請求項６】
テロマー分布物供給および合同または別々の供給が衝突供給である、請求項５に記載の方法。
【請求項７】
テロマー分布物がジクロロメタンを含む溶液で供給される、請求項５に記載の方法。
【請求項８】
臭素化剤およびＡｌＢｒ3の少なくとも一部がこれらを含む溶液として合同で供給される、請求項５に記載の方法。
【請求項９】
臭素化剤およびＡｌＢｒ3がこの２つを含む溶液として合同で供給される、請求項５に記載の方法。
【請求項１０】
テロマー分布物供給および合同供給が衝突供給である、請求項９に記載の方法。
【請求項１１】
臭素化が−１０℃から０℃の範囲内の温度で生じる、請求項５に記載の方法。
【請求項１２】
臭素化剤が臭素である、請求項５に記載の方法。
【請求項１３】
（１）反応物を水中にクエンチしＡｌＢｒ3触媒を失活させ、水相および有機スラリー相を形成すること（２）有機スラリー相および水相を互いに分離することをさらに含む、請求項５に記載の方法。
【請求項１４】
クエンチングに続いて、分離された有機スラリー相が、（ｉ）新しい水の複数の部分を用いて洗浄されるか、または（ｉｉ）蒸留されて遊離臭素を除去し、その後塩基性ＮａＢＨ4水溶液を用いて、３６℃から６５℃の範囲内の温度で処理され、有効なＮ−ブロモアミンを含む有効な活性臭素種を還元する、請求項１３に記載の方法。
【請求項１５】
塩基性ＮａＢＨ4水溶液を用いる処理に続いて、有機スラリー相が分離され、分離された洗浄水が１０以下のｐＨを示すまで水洗浄される、請求項１４に記載の方法。
【請求項１６】
分離された有機スラリー相が、水性媒体の全重量に基づいて最大０．１重量％の量の水素化ホウ素ナトリウムを場合によって含有する水性媒体を含有する容器に供給され、蒸留または共沸蒸留によって、存在し得る任意の蒸留可能な不純物を含有する溶媒を同時に除去して固体生成物を形成する、請求項１５に記載の方法。
【請求項１７】
沈澱および溶媒の同時共沸蒸留に続いて、固体生成物が、固液分離手法によって単離され、場合によって、粉砕されまたは細分化されて所望の粒子粒度分布を得、固体生成物を不活性雰囲気下で１３５℃から１８５℃の範囲の温度で恒量まで乾燥し、前記粉砕または細分化が、固形分中に存在し得る閉じ込められた臭素の、乾燥中での除去を、さらに容易にする、請求項１６に記載の方法。
【誤訳訂正書】
【提出日】平成24年11月12日(2012.11.12)
【誤訳訂正１】
【訂正対象書類名】特許請求の範囲
【訂正対象項目名】請求項６
【訂正方法】変更
【訂正の内容】
【請求項６】
前記各接触縁部（２１）に画成されている前記接触面（１５）は、粉体プラズマ溶接により成形されている請求項５に記載の溶接ユニット。
【誤訳訂正２】
【訂正対象書類名】明細書
【訂正対象項目名】００１４
【訂正方法】変更
【訂正の内容】
【００１４】
特に図４から見て取れるように、締め付けジョー６は、互いに平行にかつレール長手方向に延びていて接触面１５を画成する２つの接触縁部２１を有しており、該両方の接触縁部は、凹部２２によって互いに隔てられている。孔２４は、ねじ２３の前述の頭部の受容のために設けられている。各締め付けジョー６若しくは接触縁部２１に画成されている接触面１５は、レール腹部２５への摩擦結合を向上させるために、粉体プラズマ溶接により熱処理されている。
【手続補正書】
【提出日】平成24年10月24日(2012.10.24)
【手続補正１】
【補正対象書類名】特許請求の範囲
【補正対象項目名】全文
【補正方法】変更
【補正の内容】
【特許請求の範囲】
【請求項１】
２以上の対応するサブアレイに分割される画素アレイであって、複数の画素を有する画像形成領域と、複数の基準画素を有する基準領域とを含む画素アレイと、
基準画素からなる行又は列におけるそれぞれの基準画素を覆う少なくとも２つの不均一の遮光体と、
それぞれのサブアレイに電気的に接続され、それぞれのサブアレイにおける画素及び基準画素により生成される信号を受ける出力チャネルと、
を備えることを特徴とするイメージセンサ。
【請求項２】
前記少なくとも１つの不均一の遮光体は、基準画素からなる行又は列におけるそれぞれの基準画素を覆う少なくとも１つの連続する不均一の遮光体を有する、
請求項１記載のイメージセンサ。
【請求項３】
前記少なくとも１つの不均一の遮光体は、それぞれが基準画素からなる行又は列におけるそれぞれの基準画素を覆う複数の個別の不均一の遮光体を有する、
請求項１記載のイメージセンサ。
【請求項４】
２以上の対応するサブアレイに分割される画素アレイであって、複数の画素を有する画像形成領域と、複数の基準画素を有する基準領域とを含む画素アレイ、基準画素からなる行又は列におけるそれぞれの基準画素を覆う少なくとも２つの不均一の遮光体、及び、それぞれのサブアレイに電気的に接続され、それぞれのサブアレイにおける複数の画素及び基準画素により生成される信号を受ける出力チャネルを有するイメージセンサと、
基準画素からなる行又は列から出力される信号を受け、前記出力チャネルにおける差を補償する１以上の補正係数を決定するプロセッサと、
を備えることを特徴とする画像捕捉装置。
【請求項５】
前記少なくとも１つの不均一の遮光体は、基準画素からなる行又は列におけるそれぞれの基準画素を覆う少なくとも１つの連続する不均一の遮光体を有する、
請求項４記載の画像捕捉装置。
【請求項６】
前記少なくとも１つの不均一の遮光体は、それぞれが基準画素からなる行又は列におけるそれぞれの基準画素を覆う複数の個別の不均一の遮光体を有する、
請求項４記載の画像捕捉装置。
【請求項７】
イメージセンサにおける２以上の出力チャネルから出力される信号の値の間の差を補償する方法であって、
前記イメージセンサは、少なくとも２つの対応するサブアレイに分割される画素アレイであって、複数の画素を有する画像形成領域と、複数の基準画素を有する基準領域とを含む画素アレイと、基準画素からなる行又は列におけるそれぞれの基準画素を覆う少なくとも２つの不均一の遮光体と、それぞれのサブアレイに電気的に接続され、それぞれのサブアレイにおける複数の画素及び基準画素により生成される信号を受ける出力チャネルとを備えており、
当該方法は、
前記画素アレイを一様な光で照射するステップと、
前記基準画素により生成される基準画素信号を読み取るステップと、
２つの対応するサブアレイにおける基準画素からなる行又は列におけるそれぞれの基準画素のペアから読み取られた基準画素信号を互いに比較して、少なくとも１つの基準画素のペアからの基準画素信号が互いに偏位するかを判定するステップと、
前記少なくとも１つの基準画素のペアからの前記基準画素信号が互いに偏位する場合に、前記出力チャネル間の差を補償する１以上の第一の補正係数を決定するステップと、
を含むことを特徴とする方法。
【請求項８】
２つの対応するサブアレイにおける基準画素からなる別の行又は列におけるそれぞれの基準画素のペアから読み取られた基準画素信号を互いに比較して、少なくとも１つの基準画素のペアからの基準画素信号が互いに偏位するかを判定するステップと、
前記少なくとも１つの基準画素のペアからの前記基準画素信号が互いに偏位する場合に、前記出力チャネル間の差を補償する１以上の第二の補正係数を決定するステップと、
前記第一の補正係数と前記第二の補正係数とを平均して、平均された補正係数を生成するステップと、
を更に含む請求項７記載の方法。
【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
基部と蓋であって、これらの間に未使用のスヌースを収容するための第１コンパートメントを形成し、少なくとも蓋または基部が変形可能な壁を含み、これによりユーザーが第１コンパートメントとは反対の側に使用済みスヌースを収容するための第２コンパートメントを形成または拡大できるようにする基部および蓋と、第２コンパートメントを閉じるためのカバーとを含む容器。
【請求項２】
前記壁は、複数の安定した位置の内の選択可能な１つの位置に位置させることが可能な弾性材料から少なくとも部分的に形成され、この壁は、これを所定の程度を超えて変形させることによって加わる圧力に応じてこれら位置の１つに移動可能であり、壁は、前記所定の程度に到達する前に元の位置の方に付勢され、この所定の位置を超えて変形されると別の位置に向かう方向に付勢される、ことを特徴とする請求項１記載の容器。
【請求項３】
前記壁は２つの極端な位置間であらゆる位置を取れるように徐々に変形できるように少なくとも部分的に弾性材で形成されている、ことを特徴とする請求項１記載の容器。
【請求項４】
前記壁は、環状の領域に囲まれた中央部分を含み、この環状領域は、この中央部分に圧力を加えることに応じてこの領域で変形するように構成され、これにより中央部分が第１コンパートメント内に第２の形態へと移動する、ことを特徴とする請求項１乃至３いずれか１項記載の容器。
【請求項５】
前記環状領域は、環状の溝を含み、前記中央部分がその第２の形態へと移動する際にこの溝を中心に中央部分が折れ曲がる、ことを特徴とする請求項４記載の容器。
【請求項６】
前記環状の溝は、所定の圧力が中央部分に加えられたときに前記中央部分が第２の形態を取るように作製された弾性材料から形成される、ことを特徴とする請求項５記載の容器。
【請求項７】
前記カバーは、前記壁が形を変えたときのみ、第２コンパートメントが形成されるように第１の形態にある壁上に直接位置する、ことを特徴とする請求項１乃至６いずれか１項記載の容器。
【請求項８】
前記中央部分は、第１の形態の壁の外面を僅かに下に凹んだ形状であり、これにより前記カバーがこの凹みに収容され、前記壁に取り付けられた際に前記カバーと前記蓋が面一になる、ことを特徴とする請求項７記載の容器。
【請求項９】
共に容器の総容量を構成する第１および第２コンパートメントで容器が形成され、前記壁は総容量を変えることなく、第１および第２コンパートメントの相対的な容量を変えることができるように構成されている、ことを特徴とする請求項１乃至６いずれか１項記載の容器。
【請求項１０】
容器は、容器の総容量を構成する第１コンパートメントのみによって形成され、壁は、壁が形を変えられた際、前記総容量を変えずに第１コンパートメントの容積の一部が第２コンパートメントを形成できるように形成される、ことを特徴とする請求項７記載の容器。
【請求項１１】
前記壁は、前記溝の外側に環状の凹みを含み、この凹みは、これと協働するカバーの突起を受けてカバーを壁に取り付けるようにする、ことを特徴とする請求項５乃至１０いずれか１項記載の容器。
【請求項１２】
前記カバーは、半径方向に延び、前記壁の前記環状の凹部に位置する協働突起を含む、ことを特徴とする請求項１１記載の容器。
【請求項１３】
前記カバーは、軸方向に延びた第２の突起を含み、この第２の突起は、前記カバーを前記壁に取り付けるために前記環状の溝に位置する、ことを特徴とする請求項１２記載の容器。
【請求項１４】
前記中央領域は、前記壁の形を変えたときに変形しない剛性のプレートである、ことを特徴とする請求項４乃至１４いずれか１項記載の容器。
【請求項１５】
未使用のスヌースを収容するための第１収容コンパートメントを間に形成する基部と蓋を含み、少なくとも蓋および／または基部が壁を含むスヌース用の容器に廃棄するスヌースを収容するコンパートメントを形成する方法であって、この方法は、前記壁から前記カバーを取り除く工程と、前記壁の形を変えるために前記壁に圧力を加えて第１収容コンパートメントに対して前記壁の反対の側に使用済みのスヌースを収容するための第２コンパートメントを形成する工程とを含む方法。
【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
細長いフィルター材料の本体と、換気領域として機能するギャップを形成するためにフ
ィルター材料の長さに沿って間隔をあけて配置された無孔材料からなる第１及び第２の領
域を含む内方のラッパーと、内方ラッパーを覆う外方ラッパーであって、換気空気を換気
領域を通して引き込み、外方ラッパーを介してそして内方ラッパーと外方ラッパーの間を
長手方向に通過させるように構成された外方ラッパーと、を含む喫煙品用フィルター。
【請求項２】
内方ラッパーの第１及び第２領域の少なくとも一方が、無孔のチッピング紙からなる部
分を含むことを特徴とする、請求項１記載のフィルター。
【請求項３】
内方ラッパーの第１及び第２領域の両方が、無孔のチッピング紙からなる第１及び第２
の部分を含むことを特徴とする、請求項２記載のフィルター。
【請求項４】
内方ラッパーの第１及び第２領域の少なくとも一方が、無孔のコーティングを含むこと
を特徴とする、請求項１または２記載のフィルター。
【請求項５】
無孔コーティングが、外方ラッパーを内方ラッパーに取り付ける接着剤を含むことを特
徴とする、請求項４記載のフィルター。
【請求項６】
内方ラッパーと外方ラッパーの間で長手方向に換気空気を通過しやすくするために、該
内方ラッパーと外方ラッパーの間にスペーサー部材を含むことを特徴とする、請求項１乃
至５いずれか１項記載のフィルター。
【請求項７】
スペーサー部材が、内方及び外方ラッパーの間に長手方向の空気流のチャネルを形成す
る円周方向に延びた波形の部材を含むことを特徴とする、請求項６記載のフィルター。
【請求項８】
口側端部及びタバコ側端部を有し、内方ラッパーの第１領域が、第２領域よりも口側端
部の方に隣接しており、外方ラッパーは、換気空気が外方ラッパーと内方ラッパーの第１
領域の間の換気領域の中に実質的に引き込まれないように、内方ラッパーの第１領域に貼
り付けられることを特徴とする、請求項１乃至７いずれか１項記載のフィルター。
【請求項９】
外方ラッパーが、多孔性のシート材料を含むことを特徴とする、請求項１乃至８いずれ
か１項記載のフィルター。
【請求項１０】
外方ラッパーが、天然の多孔性のチッピング紙を含むことを特徴とする、請求項１乃至
９いずれか１項記載のフィルター。
【請求項１１】
外方ラッパー及び／または換気領域内のフィルター材料の本体に形成された換気孔を含
むことを特徴とする、請求項１乃至１０いずれか１項記載のフィルター。
【請求項１２】
フィルター材料の本体が、異なるフィルター特性を有する複数のフィルターセクション
を含むことを特徴とする、請求項１乃至１１いずれか１項記載のフィルター。
【請求項１３】
請求項１乃至１２のいずれか１項に記載のフィルターに取り付けられた喫煙可能な材料
のロッドを含むことを特徴とする、喫煙品。
【請求項１４】
内方ラッパーによりロッドがフィルターに取り付けられることを特徴とする、請求項１
３記載の喫煙品。
【請求項１５】
外方ラッパーが、内方ラッパーを越えてロッド上に延びていることを特徴とする、請求
項１３または１４記載の喫煙品。
【請求項１６】
換気領域として機能するギャップを形成するためにフィルター材料の長さに沿って間隔
をあけて、無孔材料からなる第１及び第２の領域を含む内方のラッパーで、細長いフィル
ター材料の本体を包む工程と、
フィルター材料を、内方ラッパーを覆って外方ラッパーで包む工程と、
換気空気を換気領域を介して引き込ませ、外方ラッパーを介し、そして内方ラッパーと外方ラッパーの間を長手方向に通るようにするために外方ラッパーを内方ラッパーと接合する工程と、を含む喫煙品の製造方法。
【請求項１７】
内方ラッパーの第１及び第２領域の少なくとも一方を形成するために無孔のチッピング
紙の部分を貼り付ける工程を含むことを特徴とする、請求項１６記載の方法。
【請求項１８】
内方ラッパーの第１及び第２領域の少なくとも一方を供するために無孔のコーティング
を塗布する工程を含むことを特徴とする、請求項１６または１７記載の方法。
【請求項１９】
無孔のコーティングとして接着剤を塗布し、外方ラッパーを内方ラッパーに貼り付ける
工程を含むことを特徴とする、請求項１６記載の方法。
【請求項２０】
内方ラッパーと外方ラッパーの間で長手方向に換気空気が通過しやすくなるように、該
内方ラッパーと外方ラッパーの間にスペーサー部材を供する工程を含むことを特徴とする
、請求項１４乃至１７いずれか１項記載の方法。
【請求項２１】
外方ラッパーを供するために多孔性のチッピング紙を貼り付ける工程を含むことを特徴
とする、請求項１６乃至２０いずれか１項記載の方法。
【請求項２２】
外方ラッパー及び／または換気領域内のフィルター材料の本体に換気孔を形成する工程
を含むことを特徴とする、請求項１６乃至２１いずれか１項記載の方法。
【請求項２３】
喫煙可能な材料のロッドをフィルターに取り付ける工程を含むことを特徴とする、請求
項１６乃至２２いずれか１項記載の方法。
【請求項２４】
喫煙可能な材料のロッドを内方ラッパーによってフィルターに取り付ける工程を含むこ
とを特徴とする、請求項２３記載の方法。
【請求項２５】
外方ラッパーが内方ラッパーを越えてロッド上に延びるように外方ラッパーを貼り付け
る工程を含むことを特徴とする、請求項２３記載の方法。
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
セルロースを含む物質から溶剤、燃料又は化学中間物を生産する方法であって、
ａ）組み換え宿主細胞において、シュードモナス種ＮＤ１３７のＡＣＬＡポリペプチド若しくはその相同体、又は前記ＡＣＬＡポリペプチド若しくは前記相同体の機能的断片及び／又は変異体を発現させること、並びに
ｂ）セルロースを含む物質をａ）工程の組み換え宿主細胞で発現させたＡＣＬＡポリペプチド若しくはその相同体又はこれらの機能的断片及び／若しくは変異体と接触させること、
を含む、方法。
【請求項２】
組み換え宿主細胞からＡＣＬＡ酵素又はＡＣＬＡ酵素の活性断片を分離する工程をさらに含む、請求項１に記載の方法。
【請求項３】
シュードモナス種ＮＤ１３７のＡＣＬＡポリペプチド若しくはその相同体、又は前記ＡＣＬＡポリペプチド若しくは前記相同体の機能的断片及び／又は変異体を発現する組み換え微生物がセルロースを分解することが可能である、組み換え微生物。
【請求項４】
溶剤生産微生物である、請求項３に記載の組み換え微生物。
【請求項５】
エタノール生産微生物である、請求項４に記載の組み換え溶剤生産微生物。
【請求項６】
溶剤生産細菌である、請求項４又は５に記載の組み換え溶剤生産微生物。
【請求項７】
クロストリジウム・アセトブチリカムである、請求項６に記載の組み換え溶剤生産細菌。
【請求項８】
セルロースを含む物質を、請求項３〜７のいずれか一項に記載の組み換え微生物と接触させることを含む、請求項１又は２に記載の方法。
【請求項９】
セルロースを含む物質を分解する方法であって、セルロースを含む物質を、請求項３〜７のいずれか一項に記載の組み換え微生物と接触させることを含む、方法。
【請求項１０】
セルロースを含む物質が結晶性セルロースを含んでいるか、又は結晶性セルロースで濃縮されている、請求項１、２、８又は９のいずれか一項に記載の方法。
【請求項１１】
（ａ）シュードモナス種ＮＤ１３７のＡＣＬＡポリペプチド若しくはその相同体、又は前記ＡＣＬＡポリペプチド若しくは前記相同体の機能的断片及び／又は変異体、並びに
（ｂ）（ａ）に記載のＡＣＬＡポリペプチド以外の１つ又は複数のさらなる外来セルロース分解酵素、
を発現する組み換え微生物。
【請求項１２】
シュードモナス種ＮＤ１３７のＡＣＬＡポリペプチド若しくはその相同体、又は前記ＡＣＬＡポリペプチド若しくは前記相同体の機能的断片及び／又は変異体、並びにクロストリジウム・セルロリティカム由来の１つ又は複数のセルロース分解酵素又はその機能的断片及び／若しくは変異体を含む酵素混合物。
【請求項１３】
セルロースを含む物質からの溶剤、燃料又は化学中間物の生産における、
（ｉ）シュードモナス種ＮＤ１３７のＡＣＬＡポリペプチド若しくはその相同体、又は前記ＡＣＬＡポリペプチド若しくは前記相同体の機能的断片及び／又は変異体、
（ｉｉ）シュードモナス種ＮＤ１３７のＡＣＬＡポリペプチド若しくはその相同体、又は前記ＡＣＬＡポリペプチド若しくは前記相同体の機能的断片及び／又は変異体をコードするヌクレオチド配列からなる核酸、
（ｉｉｉ）シュードモナス種ＮＤ１３７のＡＣＬＡポリペプチド若しくはその相同体、又は前記ＡＣＬＡポリペプチド若しくは前記相同体の機能的断片及び／又は変異体をコードするヌクレオチド配列からなる核酸を含む発現ベクターであって、前記核酸配列が宿主細胞中での発現を可能にする調節配列に操作可能に結合する、発現ベクター、
（ｉｖ）シュードモナス種ＮＤ１３７のＡＣＬＡポリペプチド若しくはその相同体、又は前記ＡＣＬＡポリペプチド若しくは前記相同体の機能的断片及び／又は変異体を発現する宿主細胞、
（ｖ）シュードモナス種ＮＤ１３７のＡＣＬＡポリペプチド若しくはその相同体、又は前記ＡＣＬＡポリペプチド若しくは前記相同体の機能的断片及び／又は変異体をコードするヌクレオチド配列からなる核酸によって形質転換した宿主細胞、又は
（ｖｉ）請求項３〜７及び１１のいずれか一項に記載の組み換え微生物、
の使用。
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
サッカロファガス・デグラダンス２−４０株のＣｅｌ５Ｈポリペプチド若しくはその相同体、又は前記Ｃｅｌ５Ｈポリペプチド若しくは前記相同体の機能的断片及び／又は変異体を発現する組み換え細菌であって、該組み換え細菌がＣｅｌ５Ｈポリペプチド若しくはその相同体、又は前記Ｃｅｌ５Ｈポリペプチド若しくは前記相同体の機能的断片及び／又は変異体を分泌することができることによりセルロースの分解が可能である、組み換え細菌。
【請求項２】
微生物中での発現を可能にする調節配列に操作可能に結合した、Ｃｅｌ５Ｈポリペプチド若しくはその相同体をコードする組み換え核酸分子、又は前記Ｃｅｌ５Ｈポリペプチド若しくは前記相同体の機能的断片及び／又は変異体をコードする組み換え核酸分子を含む、請求項１に記載の組み換え細菌。
【請求項３】
溶剤生産細菌又はエタノール生産細菌である、請求項１又は２に記載の組み換え細菌。
【請求項４】
クロストリジウム・アセトブチリカムである、請求項１〜３のいずれか一項に記載の組み換え細菌。
【請求項５】
Ｃｅｌ５Ｈポリペプチド若しくはその相同体、又は前記Ｃｅｌ５Ｈポリペプチド若しくは前記相同体の機能的断片及び／又は変異体が、グリコシドヒドロラーゼ（ＧＨ）触媒ドメイン、炭水化物結合モジュール（ＣＢＭ）ドメイン、ドッケリンドメイン等のコヒーシン結合ドメイン、及びセルロソームのスキャフォルディンタンパク質の親水性（Ｘモジュール）ドメインから選択された、該Ｃｅｌ５Ｈポリペプチド又はその相同体に対して非相同の１つ又は複数のドメインと融合した、請求項１〜４のいずれか一項に記載の組み換え細菌。
【請求項６】
Ｃｅｌ５Ｈポリペプチド若しくはその相同体、又は前記Ｃｅｌ５Ｈポリペプチド若しくは前記相同体の機能的断片及び／又は変異体、並びに任意でセルロースを含有する物質を分解可能な１つ又は複数の酵素が、ハイブリッドセルロソーム及び／若しくは共有結合セルロソーム又はミニセルロソーム中に含まれる、請求項１〜５のいずれか一項に記載の組み換え細菌。
【請求項７】
セルロースを含む物質を分解する方法であって、請求項１〜６のいずれか一項に記載の組み換え細菌とセルロースを含む物質を接触させることを含む、方法。
【請求項８】
セルロースを含む物質から溶剤、燃料又は化学中間体を生産する方法であって、請求項１〜６のいずれか一項に記載の組み換え微生物でセルロースを含む物質を処理することを含む、方法。
【請求項９】
セルロースを含む物質が結晶性セルロースを含んでいるか、又は結晶性セルロースで濃縮されている、請求項７又は８に記載の方法。
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
特に自動車のラジエータのファンホイール用の駆動モータであって、
固定子と、
固定子に対して回転軸を中心に回転し、固定子と連携して駆動される回転子と、
を有し、
駆動モータ（１）の少なくとも一つの部品（２、３、４０、４４）を冷却するための気流（Ｌ）を発生する手段が回転子（４）に設けられていることを特徴とする駆動モータ。
【請求項２】
気流（Ｌ）を発生する手段は整流子（４０）又は回転子（４）の回転子基部（４２）に配置されていることを特徴とする請求項１に記載の駆動モータ。
【請求項３】
気流（Ｌ）を発生する手段は、ラジアルファン又は軸流ファンとして形成されていることを特徴とする請求項１または２に記載の駆動モータ。
【請求項４】
回転子（４）の中において気流（Ｌ）は少なくとも部分的に回転軸（Ａ）に沿って向けられていることを特徴とする請求項１から３のいずれか一項に記載の駆動モータ。
【請求項５】
駆動モータ（１）は回転軸（Ａ）に沿って固定子（５）を密閉するハウジングカバー（６）を有し、ハウジングカバー（６）は気流（Ｌ）の通路として少なくとも一つの開口（６０）を有することを特徴とする請求項１から４のいずれか一項に記載の駆動モータ。
【請求項６】
駆動モータ（１）はファンホイール（７）の収容部（７０）に配置されており、気流（Ｌ）の通路として収容部（７０）には少なくとも一つの開口（７０１）が形成されていることを特徴とする請求項１から５のいずれか一項に記載の駆動モータ。
【請求項７】
電子制御ユニット（２）は固定子（５）に配置されていることを特徴とする請求項１から６のいずれか一項に記載の駆動モータ。
【請求項８】
電子制御ユニット（２）は回転軸（Ａ）に沿って固定子（５）を密閉しており、電子制御ユニット（２）は気流（Ｌ）の通路として少なくとも一つの開口（２１０）を有することを特徴とする請求項７に記載の駆動モータ。
【手続補正２】
【補正対象書類名】明細書
【補正対象項目名】００１９
【補正方法】変更
【補正の内容】
【００１９】
本発明の構想は、図に示されている実施形態を参照しながら以下において詳細に説明される。
ここで、実施形態に記載された発明のうちで特許請求の範囲には記載されていない発明を以下に列記する。
［１］  特に自動車のラジエータのファンホイール用の駆動モータであって、
固定子と、
固定子に対して回転軸を中心に回転し、固定子と連携して駆動される回転子と、
を有し、
駆動モータ（１）の少なくとも一つの部品（２、３、４０、４４）を冷却するための気流（Ｌ）を発生する手段が回転子（４）に設けられており、
回転子（４）は回転子基部（４２）と、少なくとも一つの巻線（４４）と、回転子基部（４２）から巻線（４４）を絶縁するための少なくとも一つの絶縁ディスク（４３）とを有し、気流（Ｌ）を発生する手段は絶縁ディスク（４３）に設けられていることを特徴とする駆動モータ。
［２］  少なくとも一つの絶縁ディスク（４３）は、回転子基部（４２）の前端面（４２１、４２２）に配置されており、回転子（４）の回転軸（Ａ）に垂直に延びていることを特徴とする［１］の駆動モータ。
［３］  回転子基部（４２）の二つの対向する前端面（４２１、４２２）にそれぞれ一つの絶縁ディスク（４３）が配置されていることを特徴とする［１］または［２］の駆動モータ。
［４］  絶縁ディスク（４３）は気流（Ｌ）を発生するための少なくとも一つの翼部（４３０）を有することを特徴とする［１］から［３］のいずれかの駆動モータ。
［５］  回転子基部（４２）は、気流（Ｌ）の通路として回転軸（Ａ）に沿って配向された少なくとも一つの開口（４５）を有することを特徴とする［１］から［４］のいずれかの駆動モータ。
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
生物材料を処理するためのシステムであって、
生物材料を収容して２種以上の異なる成分材料に分離させることのできる容器と、
前記容器から前記成分材料の１種以上を除去する抽出装置と、
濾過装置と、
前記容器と前記濾過装置の間で１種以上の成分材料を輸送する導管と、
前記容器と前記濾過装置の間で前記導管を介して前記成分材料の１種以上を少なくとも輸送するための制御装置と
を備えるシステム。
【請求項２】
前記容器が、前記成分材料を沈降層に分離し、適宜、前記沈降層のうち１つ以上、例えば前記容器内の最下層又は最上層を排出するのに適合している、請求項１記載のシステム。
【請求項３】
所定の量の薬剤を前記薬剤受け器から選択的に除去し、前記所定の量の薬剤を前記容器に導入するための、薬剤受け器と流体連通する弁をさらに備える、請求項１又は請求項２記載のシステム。
【請求項４】
前記抽出装置が、さらに、前記材料と前記薬剤の混合を容易にするために、所定の量の材料を、前記薬剤が前もって導入されている前記容器から吸引し、次いで前記吸引された材料を前記容器に戻すのに適合している、請求項１乃至請求項３のいずれか１項記載のシステム。
【請求項５】
前記容器内における前記成分材料の１種以上の位置又はレベルを判断するための検知装置をさらに備える、請求項１乃至請求項４のいずれか１項記載のシステム。
【請求項６】
生物材料を処理するための方法であって、
容器内に生物材料を用意し、
前記容器内の前記材料に凝集剤を加えて、前記材料を２種以上の異なる成分材料に分離せしめ、
前記容器から前記成分材料の１種以上を抽出し、
前記容器に残った前記成分材料の１種以上を濾過装置に自動的に輸送し、
得られた目標保持液を目標保持液受け器に回収する
ことを含む方法。
【請求項７】
前記容器内の前記成分材料の１種以上の存在を検知することをさらに含む、請求項６記載の方法。
【請求項８】
設定値に達するまで、前記成分材料の１種以上が抽出される、請求項６又は請求項７記載の方法。
【請求項９】
前記生物材料が全血、臍帯血又は骨髄を含む、請求項６乃至請求項８のいずれか１項記載の方法。
【請求項１０】
前記容器内の前記材料に凝集促進剤、例えば、クエン酸、コハク酸、その塩又はそれらの組合せを含むものを加えることをさらに含む、請求項６乃至請求項９のいずれか１項記載の方法。
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
懸濁液中の細胞を濃縮するための沈降アセンブリであって、
細胞集団を含む懸濁液を受け取るための第１のチャンバであって、該第１のチャンバに対して沈降力を与えた際に、濃縮された細胞集団を受け取るための細胞濃縮帯域を含む第１のチャンバと、
繰り返し除去可能に流体到達先または流体源と流体連通して配置されるように適合された第２のチャンバであって、該第１のチャンバの該濃縮帯域を含む、第２のチャンバと
を備え、
該第１のチャンバと該第２のチャンバとは、該濃縮された細胞集団を含む該懸濁液の一部分を該第２のチャンバに流動させるために、該第１のチャンバと該第２のチャンバとが流体連通しているユニットとして、遠心性の沈降力場内に配置可能である、
沈降アセンブリ。
【請求項２】
前記第１のチャンバは、細胞を単離するためのシステムから細胞を受け取るように適合されている、請求項１に記載の沈降アセンブリ。
【請求項３】
前記細胞濃縮帯域は、前記第１のチャンバの先細部分を含む、請求項１に記載の沈降アセンブリ。
【請求項４】
前記沈降アセンブリは、前記第１のチャンバと前記第２のチャンバとが流体連通しているときに、遠心分離されるように適合されている、請求項１に記載の沈降アセンブリ。
【請求項５】
前記沈降アセンブリは、沈降中にホルダ内に配置されるように適合されている、請求項１に記載の沈降アセンブリ。
【請求項６】
前記ホルダ内の前記沈降アセンブリは、沈降中に遠心分離機内に配置される、請求項５に記載の沈降アセンブリ。
【請求項７】
前記第１のチャンバと前記第２のチャンバとの間の連結部をさらに含む、請求項１に記載の沈降アセンブリ。
【請求項８】
前記連結部は分離可能であり、該連結部は、前記第１のチャンバに取り付けられる第１の部分と、前記第２のチャンバに取り付けられる第２の部分とを備え、該第１の部分と該第２の部分とは、嵌合要素を有する、請求項７に記載の沈降アセンブリ。
【請求項９】
前記連結部は、連結部材を含む、請求項８に記載の沈降アセンブリ。
【請求項１０】
前記第１のチャンバは、前記第２のチャンバよりも大きい容量を有する、請求項１に記載の沈降アセンブリ。
【請求項１１】
懸濁液中の細胞を濃縮する方法であって、
ａ．第１のチャンバ内において、細胞集団を含む懸濁液を収集することと、
ｂ．該第１のチャンバ内において、濃縮された細胞懸濁液を取得するために該細胞集団を沈降することと、
ｃ．遠心性の沈降力場の下で、該濃縮された細胞懸濁液を該第１チャンバと流体連通する第２のチャンバに流入させることと
を含む、方法。
【請求項１２】
前記濃縮された細胞懸濁液のさらなる処理のために、前記第１のチャンバを前記第２のチャンバから切り離し、該第２のチャンバを第３のチャンバに接続することをさらに含む、請求項１１に記載の方法。
【請求項１３】
前記第１のチャンバを前記第２のチャンバから切り離すことと、該第１のチャンバ内に残留するあらゆる内容物を除去することと、該第１のチャンバに溶液を追加することと、該第２のチャンバからの前記濃縮された細胞懸濁液を該第１のチャンバに追加することと、さらなる処理のために該第１のチャンバと該第２のチャンバとを再接続することとをさらに含む、請求項１１に記載の方法。
【請求項１４】
前記ａ〜ｃのステップは繰り返されるが、繰り返されるときには、前記第１のチャンバ内において収集される細胞集団を含む懸濁液は、前記第２のチャンバに流入させられた濃縮された細胞懸濁液である、請求項１１に記載の方法。
【請求項１５】
前記第２のチャンバは、注射器を含む、請求項１に記載の沈降アセンブリ。
【請求項１６】
懸濁液中の細胞を濃縮するための沈降チャンバであって、該チャンバは、
実質的に球形の内側チャンバを規定するハウジングと、
該内側チャンバと連通している、該ハウジングのポートと
を含み、
該ポートは、封止可能な閉鎖部を備え；そして
該チャンバは、該ポートと一般的に反対側に位置する、細胞を受容するポケットを有する、沈降チャンバ。
【請求項１７】
空気捕獲領域をさらに備える、請求項１６に記載の沈降チャンバ。
【請求項１８】
前記空気捕獲領域が、前記ポートに近接している、請求項１７に記載の沈降チャンバ。
【請求項１９】
前記チャンバハウジングは、前記チャンバの壁への力の適用により手動で操作され得る、請求項１６に記載の沈降チャンバ。
【請求項２０】
前記細胞集団は、幹細胞を含む、請求項１１に記載の方法。
【請求項２１】
前記溶液は洗浄溶液を含む、請求項１３に記載の方法。
【請求項２２】
前記溶液は、緩衝液、血清、抗体、および成長因子からなる群から選択される試薬である、請求項１３に記載の方法。
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
誘導体化インスリンペプチド(a)、誘導体化インスリンペプチドのための少なくとも1つの極性有機溶媒(b)、および少なくとも1つの親油性構成成分(c)を含む非含水性の液体医薬組成物であって、透明な溶液の形態をとる医薬組成物。
【請求項２】
少なくとも1つの界面活性剤(d)をさらに含む、請求項1に記載の医薬組成物。
【請求項３】
少なくとも1つの界面活性剤を含み、自発的分散性である、請求項1または2に記載の医薬組成物。
【請求項４】
10%w/w未満の水を含む、請求項1から3のいずれか一項に記載の医薬組成物。
【請求項５】
前記極性有機溶媒が、ポリオールからなる群から選択される、請求項1から4のいずれか一項に記載の医薬組成物。
【請求項６】
界面活性剤が非イオン性界面活性剤である、請求項2から5のいずれか一項に記載の医薬組成物。
【請求項７】
親油性構成成分をプロピレングリコールと混合した際に溶液が得られるように、親油性構成成分が選ばれる、請求項1から6のいずれか一項に記載の医薬組成物。
【請求項８】
親油性構成成分が、モノ-グリセリドおよび/もしくはジ-グリセリド、またはカプリル酸プロピレングリコールである、請求項1から7のいずれか一項に記載の医薬組成物。
【請求項９】
誘導体化インスリンペプチドが、アシル化インスリンペプチドである、請求項1から8のいずれか一項に記載の医薬組成物。
【請求項１０】
誘導体化インスリンペプチドが、プロテアーゼ安定化インスリンであり、プロテアーゼ安定化インスリンが、それにつながれているアシル部分を有し、アシル部分が、一般式:
Acy-AA1n-AA2m-AA3p-(I)
[式中、nは、0または1〜3の範囲の整数であり;
mは、0または1〜10の範囲の整数であり;
pは、0または1〜10の範囲の整数であり;
Acyは、8〜24個の炭素原子を含む脂肪酸または脂肪二酸であり;
AA1は、中性の直鎖または環状のアミノ酸残基であり;
AA2は、酸性アミノ酸残基であり;
AA3は、中性のアルキレングリコール含有アミノ酸残基である]
を有し、
AA1、AA2およびAA3が、式中に出現する順番は、独立に交換することができる、
請求項1から9のいずれか一項に記載の医薬組成物。
【請求項１１】
硬カプセル剤または軟カプセル剤中に被包されている、請求項1から10のいずれか一項に記載の医薬組成物。
【請求項１２】
硬カプセル剤または軟カプセル剤が、腸溶性である、請求項11に記載の医薬組成物。
【請求項１３】
請求項1から12に記載の医薬組成物を生成する方法であって、
(a)誘導体化インスリンペプチドを、極性有機溶媒中に溶解させるステップと、
(b)それに続いて、親油性構成成分、ならびに界面活性剤と混合する、あるいは界面活性剤とは混合しないで親油性構成成分と混合するステップと
を含む方法。